【手続補正書】
【提出日】平成15年10月7日(2003.10.7)
【手続補正１】
【補正対象書類名】明細書
【補正対象項目名】発明の名称
【補正方法】変更
【補正の内容】
【発明の名称】セメント系ボードの製造方法及びその装置


【手続補正２】
【補正対象書類名】明細書
【補正対象項目名】特許請求の範囲
【補正方法】変更
【補正の内容】
【特許請求の範囲】
【請求項１】
セメント及び補強繊維材料を含むスラリー状の流動性混合材料を、所定幅を有するろ過用シート材料からなり略水平走行領域を含む所定の走行経路に沿って走行するろ布の上に、前記ろ布の略水平走行領域内の上流側から供給して前記ろ布の幅方向に所定幅を有する所定層厚の材料層を形成し、
前記略水平走行領域内の上流側において前記ろ布の上面に対し所定間隔を隔てて平行に対向し、前記材料層に接触しながら回転する脱泡ロールによって前記材料層中に含まれる気泡を破砕し、
前記略水平走行領域内で前記脱泡ロールより下流側のろ布の上面に対し所定間隔を隔てて平行に対向し、前記材料層に接触しながら回転するドクターロールにより、前記材料層の厚さを均一化し、
それぞれ複数の吸引孔を備えた吸引面部及び前記吸引孔のそれぞれに連通する負圧形成穴が設けられた背面部を有し、前記ろ布の近傍に配置された複数の吸引箱の前記吸引面部を前記略水平走行領域のろ布の下面に対向させて、前記略水平走行領域のろ布と前記複数の吸引箱とを略水平方向に一体的に移動させるとともに、前記略水平走行領域のろ布に対向する複数の吸引箱内に前記負圧形成穴を通して負圧を形成し、前記吸引箱の吸引面部を通して前記略水平走行領域のろ布上の材料層から水分を吸引し脱水し、及び
前記略水平走行領域内の下流側を走行するろ布の上面に対し所定間隔を隔てて平行に対向し、略脱水された前記材料層に接触しながら回転する平坦化ロールにより、前記材料層を平坦化することを特徴とするセメント系ボードの製造方法。
【請求項２】
所定幅を有するろ過用シート材料からなり、略水平走行領域を含む所定の走行経路に沿って走行するろ布と、
セメントおよび補強繊維材料を含むスラリー状の流動性混合材料を供給する材料供給手段と、
該流動性混合材料を前記ろ布の略水平走行領域の上流側から前記ろ布上に供給して前記ろ布の幅方向に所定幅を有する所定層厚の材料層を形成する材料層形成手段と、
それぞれ複数の吸引孔を形成した吸引面部および該吸引孔のそれぞれに連通する負圧形成穴が設けられた背面部を有し、前記ろ布の近傍に配置された複数の吸引箱と、
前記略水平走行領域におけるろ布の下面に複数の吸引箱の吸引面部を対向させるとともに、前記略水平走行領域のろ布と前記複数の吸引箱とを略水平方向に一体的に移動させる移動手段と、
前記略水平走行領域のろ布に対向する複数の吸引箱内に前記負圧形成穴を通して負圧を形成し、前記吸引箱の吸引面部を通して前記略水平走行領域のろ布上の材料層から水分を吸引し脱水する吸引脱水手段と、
前記略水平走行領域内の上流側で前記ろ布の上面に対し所定間隔を隔てて平行に対向し、前記材料層に接触しながら回転して該材料層中の気泡を破砕する脱泡ロールと、
前記略水平走行領域内で前記脱泡ロールより下流側のろ布の上面に対し所定間隔を隔てて平行に対向し、前記材料層に接触しながら回転して該材料層の厚さを均一化するドクターロールと、
前記略水平走行領域内の下流側を走行するろ布の上面に対し所定間隔を隔てて平行に対向し、略脱水された前記材料層に接触しながら回転して該材料層を平坦化する平坦化ロールと、
を備えたことを特徴とするセメント系ボードの製造装置。
【請求項３】
前記材料層形成手段が、
前記ろ布の幅と略等しい幅を有し周方向等間隔に配置された複数の羽根と、該羽根を前記周方向に回転可能に収納する材料計量部および前記ろ布の幅方向に延在するスリット状の開口部を有するハウジングと、を有するポンプを具備し、
該ポンプの羽根を回転させることにより前記流動性混合材料を前記ハウジング内に導入して計量するとともに、前記ハウジングの開口部を通し前記ろ布上に前記流動性混合材料を略層状に供給することを特徴とする請求項２に記載のセメント系ボードの製造装置。
【請求項４】
前記平坦化ロールより下流側で前記材料層に接触する凹凸面部を有し、該凹凸面部により前記材料層を押圧して該材料層に前記凹凸面部に対応する凹凸柄を転写するプレス手段を備えたことを特徴とする請求項２に記載のセメント系ボードの製造装置。
【請求項５】
前記プレス手段が、前記平坦化ロールより下流側のろ布の上面に対し所定間隔を隔てて平行に対向し、前記材料層に接触する外周凹凸面部により前記材料層を押圧しながら回転して該材料層に前記外周凹凸面部に対応する凹凸柄を転写するプレスロールであることを特徴とする請求項４に記載のセメント系ボードの製造装置。
【手続補正３】
【補正対象書類名】明細書
【補正対象項目名】０００１
【補正方法】変更
【補正の内容】
【０００１】
【発明の属する技術分野】
本発明は、セメント系ボードの製造方法及び製造装置に係り、特にスラリー状のセメント系材料を層状にして連続的に脱水および平坦化加工することのできるセメント系ボードの製造方法及び製造装置に関する。


【手続補正４】
【補正対象書類名】明細書
【補正対象項目名】０００６
【補正方法】変更
【補正の内容】
【０００６】
【課題を解決するための手段】
上記目的達成のため、請求項１に記載の発明は、セメント及び補強繊維材料を含むスラリー状の流動性混合材料を、所定幅を有するろ過用シート材料からなり略水平走行領域を含む所定の走行経路に沿って走行するろ布の上に、前記ろ布の略水平走行領域内の上流側から供給して前記ろ布の幅方向に所定幅を有する所定層厚の材料層を形成し、前記略水平走行領域内の上流側において前記ろ布の上面に対し所定間隔を隔てて平行に対向し、前記材料層に接触しながら回転する脱泡ロールによって前記材料層中に含まれる気泡を破砕し、前記略水平走行領域内で前記脱泡ロールより下流側のろ布の上面に対し所定間隔を隔てて平行に対向し、前記材料層に接触しながら回転するドクターロールにより、前記材料層の厚さを均一化し、それぞれ複数の吸引孔を備えた吸引面部及び前記吸引孔のそれぞれに連通する負圧形成穴が設けられた背面部を有し、前記ろ布の近傍に配置された複数の吸引箱の前記吸引面部を前記略水平走行領域のろ布の下面に対向させて前記略水平走行領域のろ布と前記複数の吸引箱とを略水平方向に一体的に移動させるとともに、前記略水平走行領域のろ布に対向する複数の吸引箱内に前記負圧形成穴を通して負圧を形成し、前記吸引箱の吸引面部を通して前記略水平走行領域のろ布上の材料層から水分を吸引脱水し、及び前記略水平走行領域内の下流側を走行するろ布の上面に対し所定間隔を隔てて平行に対向し、略脱水された前記材料層に接触しながら回転する平坦化ロールにより、前記材料層を平坦化することを特徴とするセメント系ボードの製造方法である。
上記目的達成のため、請求項２に記載の発明は、所定幅を有するろ過用シート材料からなり略水平走行領域を含む所定の走行経路に沿って走行するろ布と、セメントおよび補強繊維材料を含むスラリー状の流動性混合材料を供給する材料供給手段と、該流動性混合材料を前記ろ布の略水平走行領域の上流側から前記ろ布上に供給して前記ろ布の幅方向に所定幅を有する所定層厚の材料層を形成する材料層形成手段と、それぞれ複数の吸引孔を形成した吸引面部および該吸引孔のそれぞれに連通する負圧形成穴が設けられた背面部を有し、前記ろ布の近傍に配置された複数の吸引箱と、前記略水平走行領域におけるろ布の下面に複数の吸引箱の吸引面部を対向させるとともに、前記略水平走行領域の前記ろ布と前記複数の吸引箱とを略水平方向に一体的に移動させる移動手段と、前記略水平走行領域の複数の吸引箱内に前記負圧形成穴を通して負圧を形成し、前記吸引箱の吸引面部を通して前記略水平走行領域のろ布上の材料層から水分を吸引し脱水する吸引脱水手段と、前記略水平走行領域内の上流側で前記ろ布の上面に対し所定間隔を隔てて平行に対向し、前記材料層に接触しながら回転して該材料層中の気泡を破砕する脱泡ロールと、前記略水平走行領域内で前記脱泡ロールより下流側のろ布の上面に対し所定間隔を隔てて平行に対向し、前記材料層に接触しながら回転して該材料層の厚さを均一化するドクターロールと、前記略水平走行領域内の下流側を走行するろ布の上面に対し所定間隔を隔てて平行に対向し、略脱水された前記材料層に接触しながら回転して該材料層を平坦化する平坦化ロールと、を備えたことを特徴とするものである。したがって、材料層形成手段によってろ布の幅方向に所定幅を有する材料層がろ布上に形成され、この材料層が脱泡ロールにより確実に脱泡されてドクターロールにより均一な厚さに整形されることになり、材料内に大きな気泡が混入することがない。したがって、脱泡された材料層を吸引箱により吸引脱水しつつ連続してセメント系ボードを製造することができ、製造したボードの変形による品質低下も生じ難くなる。


【手続補正５】
【補正対象書類名】明細書
【補正対象項目名】０００７
【補正方法】変更
【補正の内容】
【０００７】
前記材料層形成手段は、請求項３に記載したように、前記ろ布の幅と略等しい幅を有し周方向等間隔に配置された複数の羽根と、該羽根を前記周方向に回転可能に収納する材料計量部および前記ろ布の幅方向に延在するスリット状の開口部を有するハウジングと、を有するポンプを具備し、該ポンプの羽根を回転させることにより前記流動性混合材料を前記ハウジング内に導入して計量するとともに、前記ハウジングの開口部を通し前記ろ布上に前記流動性混合材料を略層状に供給するものが好ましい。このようにした場合、ろ布の幅方向における材料層の全域で流動性混合材料を計量しつつ好ましい供給量を保つことができ、前記脱泡ロールの採用と相俟って、より気泡のすくない材料層を精度良く成形することができ、高品質のセメント系ボードを得ることができる。


【手続補正６】
【補正対象書類名】明細書
【補正対象項目名】０００８
【補正方法】変更
【補正の内容】
【０００８】
また、請求項４に記載するように、前記平坦化ロールより下流側で前記材料層に接触する凹凸面部を有し、該凹凸面部により前記材料層を押圧して該材料層に前記凹凸面部に対応する凹凸柄を転写するプレス手段を設けることができる。このプレス手段は、請求項５に記載のように、前記平坦化ロールより下流側のろ布の上面に対し所定間隔を隔てて平行に対向し、前記材料層に接触する外周凹凸面部により前記材料層を押圧しながら回転して該材料層に前記外周凹凸面部に対応する凹凸柄を転写するプレスロールを有するものであるのが好ましく、その場合、上述のように脱泡した所定層厚の材料層に凹凸柄を高速転写して生産性を高めることが容易になる。なお、前記プレス手段は、所謂プレス機に前記凹凸面部を有する成形型を取り付けて所定枚数のセメント系ボードに対応する凹凸柄を転写することもでき、その場合、起伏量の大きな凹凸柄を付けることができる。


【手続補正７】
【補正対象書類名】明細書
【補正対象項目名】０００９
【補正方法】変更
【補正の内容】
【０００９】
【発明の実施の形態】
以下、本発明の好ましい実施の形態について添付図面を参照しつつ説明する。  図１〜図８は本発明に係るセメント系ボードの製造装置の一実施例を示す図である。
まず、その製造装置の構成について説明し、ついで、装置を用いてセメント系ボードを製造する方法と製造装置の作用を説明する。


【手続補正８】
【補正対象書類名】明細書
【補正対象項目名】００２４
【補正方法】変更
【補正の内容】
【００２４】
次に本発明の製造装置を用いたセメント系ボードの製造方法とその装置の作用について説明する。
上述したセメント系ボードの製造装置では、材料供給手段１３の複数のモルタルポンプ２２から材料層形成手段１５のキニオンポンプ３０に材料供給パイプ２３ａ，２３ｂを通してスラリー状の流動性混合材料１２が供給され、このキニオンポンプ３０により流動性混合材料１２がろ布１１上に略層状に供給される。そして、この材料層が好ましくはドクターロール６２により予め平坦化された後、多数列の突起群を有する脱泡ロール６１により確実に脱泡されて、ドクターロール６３により均一な層厚さの材料層１４に成形される。したがって、ろ布１１の略水平走行領域１１ａの上流側で成形される吸引脱水前の材料層１４の内部には大きな気泡が混入していない。


【手続補正９】
【補正対象書類名】明細書
【補正対象項目名】００３５
【補正方法】変更
【補正の内容】
【００３５】
【発明の効果】
既に述べたように、請求項１記載の製造方法によれば、ろ布上に層状に形成された材料層が脱泡ロールにより確実に脱泡された後、ドクターロールにより均一な層厚さの材料層に成形されるから、材料層内部に大きな気泡が混入されることなく脱水でき、脱水中および脱水後のボードの変形を防止でき、品質が向上する。さらに、平坦化ロールより下流側でプレスロールを回転させながら材料層に接触させて凹凸柄を高速転写して凹凸柄を有するボードを製造する際に、その生産性を高めることができる。
請求項２記載の発明によれば、ろ布上の材料層を脱泡ロールにより確実に脱泡してドクターロールにより均一な厚さに成形し、この脱泡された材料層を吸引箱により吸引脱水して、略脱水した材料層を平坦化ロールにより更に平坦加工することによりセメント系ボードを連続的に製造するようにしているので、材料層内に気泡が残留することによってボードが変形するのを防止することができ、製造品の品質を向上させることができる。


【手続補正１０】
【補正対象書類名】明細書
【補正対象項目名】００３６
【補正方法】変更
【補正の内容】
【００３６】
請求項３記載の発明によれば、ろ布の幅方向における材料層の略全域で流動性混合材料を計量しつつ好ましい材料供給量を保つことができ、脱泡ロールの採用と相俟って、より気泡のすくない材料層を精度良く成形することができる。その結果、高品質のセメント系ボードを製造することができる。
請求項４記載の発明によれば、プレス手段が、平坦化ロールより下流側で脱水後の材料層に接触する凹凸面部により前記材料層を押圧して該材料層に前記凹凸面部に対応する凹凸柄を転写するようにしているので、効率よく柄付け加工することができる。


【手続補正１１】
【補正対象書類名】明細書
【補正対象項目名】００３７
【補正方法】変更
【補正の内容】
【００３７】
請求項５記載の発明によれば、平坦化ロールより下流側で材料層に接触しつつ回転して該材料層に凹凸柄を転写するプレスロールを設けているので、脱泡した材料層に凹凸柄を高速転写して生産性を高めることができる。